(57)【要約】【課題】スキャンバックライト方式を適用するにおいて最初ランプのオンになる時点をＳＳＰの開始地点または終わり時点と一致させることによって、駆動最適化及び消費電力を減らす液晶表示装置及びその駆動方法を提供する。【解決手段】垂直同期信号印加に対応して所定時間遅延後位相が変化する第１制御信号が生成される段階と；第１制御信号の位相変化に対応してゲートラインにスキャンパルスが印加される段階と；第２制御信号の位相変化に対応してデータラインに所定のデータが印加される段階と；第１制御信号または第２制御信号の位相変化によりバックライトが制御される段階が含まれて駆動することによって、課題を達成する。【選択図】図６
2005128546.tif 000002
【特許請求の範囲】
【請求項１】
垂直同期信号及び水平同期信号を利用してゲート開始パルス（ＧＳＰ）を含む第１制御信号及びソース開始パルス（ＳＳＰ）を含む第２制御信号を生成する段階と；
前記第１制御信号によってゲートラインに所定のスキャンパルスを次々と印加する段階と；
前記第２制御信号によってソースラインにデータを印加する段階と；
前記データを表示する段階；及び
前記ＧＳＰ及び／または前記ＳＳＰを利用してバックライトを駆動する段階を含む液晶表示装置の駆動方法。
【請求項２】
前記ＧＳＰは前記垂直同期信号により決定される一週期の間１番目ゲートラインをオンさせてくれる時点を示す制御信号であることを特徴とする請求項１に記載の液晶表示装置の駆動方法。
【請求項３】
前記ＳＳＰは１水平同期信号のうちから１番目ソースラインにデータを印加させてくれる時点を示す制御信号であることを特徴とする請求項１に記載の液晶表示装置の駆動方法。
【請求項４】
前記バックライトを駆動する段階は、
前記ＧＳＰ及び／またはＳＳＰを基礎にして前記バックライトの１番目ランプがオンになる時点及び点灯区間を決定する段階と；
前記点灯区間の間前記１番目ランプを点灯させる段階；及び
前記１番目ランプの点灯区間が終了される時点に続いて残りのランプを次々と点灯させる段階；を含むことを特徴とする請求項１に記載の液晶表示装置の駆動方法。
【請求項５】
前記１番目ランプがオンになる時点は前記ＳＳＰの終わり時点と一致することを特徴とする請求項１に記載の液晶表示装置の駆動方法。
【請求項６】
前記ＳＳＰの終わり時点でデータが実際に表示されることを特徴とする請求項５に記載の液晶表示装置の駆動方法。
【請求項７】
前記１番目ランプがオンになる時点は前記ＳＳＰの開始時点と一致することを特徴とする請求項１に記載の液晶表示装置の駆動方法。
【請求項８】
前記点灯区間はあらかじめ設定されることを特徴とする請求項１に記載の液晶表示装置の駆動方法。
【請求項９】
垂直同期信号及び水平同期信号を利用してゲート開始パルス（ＧＳＰ）を含む第１制御信号及びソース開始パルス（ＳＳＰ）を含む第２制御信号を生成するための制御手段と；
前記第１制御信号によってゲートラインに所定のスキャンパルスを次々と印加するゲートドライバーと；
前記第２制御信号によってソースラインにデータを印加するソースドライバーと；
前記データを表示するＬＣＤパネル；及び
前記ＧＳＰ及び／または前記ＳＳＰを利用してバックライトを駆動させるための駆動手段を含むことを特徴とする液晶表示装置。
【請求項１０】
前記ＧＳＰは前記垂直同期信号により決定される一週期の間１番目ゲートラインをオンさせてくれる時点を示す制御信号であることを特徴とする請求項９に記載の液晶表示装置。
【請求項１１】
前記ＳＳＰは１水平同期信号のうちから１番目ソースラインにデータを印加させてくれる時点を示す制御信号であることを特徴とする請求項９に記載の液晶表示装置。
【請求項１２】
前記駆動手段は、
前記ＧＳＰ及び／またはＳＳＰを基礎にして前記バックライトの１番目ランプがオンになる時点及び点灯区間を決定するインバータ；及び
複数のランプで構成されて、前記１番目ランプがオンになる時点及び点灯区間によって１番目ランプを点灯させる一方、残りのランプも次々と点灯させるバックライトを含むことを特徴とする請求項９に記載の液晶表示装置。
【請求項１３】
前記１番目ランプがオンになる時点は前記ＳＳＰの終わり時点と一致することを特徴とする請求項１２に記載の液晶表示装置。
【請求項１４】
前記ＳＳＰの終わり時点でデータが実際に表示されることを特徴とする請求項１３に記載の液晶表示装置。
【請求項１５】
前記１番目ランプがオンになる時点は前記ＳＳＰの開始時点と一致することを特徴とする請求項１２に記載の液晶表示装置。
【請求項１６】
垂直同期信号印加に対応して所定時間遅延後位相が変化する第１制御信号が生成される段階と；
前記第１制御信号の位相変化に対応してゲートラインにスキャンパルスが印加される段階と；
第２制御信号の位相変化に対応してデータラインに所定のデータが印加される段階と；
前記第１制御信号または第２制御信号の位相変化によりバックライトが制御される段階が含まれることを特徴とする液晶表示装置の駆動方法。
【請求項１７】
前記バックライトはスキャンバックライト方式で駆動されることを特徴とする請求項１６に記載の液晶表示装置の駆動方法。
【請求項１８】
前記第１または第２制御信号の位相変化はパルスのライジングエッジ（ｒｉｇｉｎｇ  ｅｄｇｅ）であることを特徴とする請求項１６に記載の液晶表示装置の駆動方法。
【請求項１９】
前記第１または第２制御信号の位相変化はパルスのフォーリングエッジ（ｆａｌｌｉｎｇ  ｅｄｇｅ）であることを特徴とする請求項１６に記載の液晶表示装置の駆動方法。
【請求項２０】
前記第２制御信号には水平同期信号が含まれることを特徴とする請求項１６に記載の液晶表示装置の駆動方法。
【請求項２１】
前記第２制御信号にはソース開始パルス（ＳＳＰ）が含まれることを特徴とする請求項１６に記載の液晶表示装置の駆動方法。
【請求項２２】
前記第２制御信号は前記垂直同期信号印加に対応して所定時間遅延後位相が変化することを特徴とする請求項１６に記載の液晶表示装置の駆動方法。
【請求項２３】
前記バックライトは複数のランプで構成されて、複数のランプのうち少なくとも一つのランプは前記第１または第２制御信号の位相変化によりターンオンされることを特徴とする請求項１６に記載の液晶表示装置の駆動方法。
【請求項２４】
前記複数のランプのうち少なくとも一つのランプは既設定された時間区間に対してターンオンされることを特徴とする請求項２３に記載の液晶表示装置の駆動方法。
【請求項２５】
前記バックライトが制御される段階は、
前記第１または第２制御信号を基礎にして前記バックライトの１番目ランプがオンになる時点及び点灯区間が決定される段階と；
前記点灯区間の間前記１番目ランプが点灯される段階；及び
前記１番目ランプの点灯区間が終了される時点に続いて残りのランプを次々と点灯させる段階；が含まれることを特徴とする請求項１６に記載の液晶表示装置の駆動方法。
【発明の詳細な説明】
【技術分野】
【０００１】
本発明は液晶表示装置に係り、特に液晶表示装置の駆動方法に関する。
【背景技術】
【０００２】
最近停止画像や動画像を含めた各種画像を表示する装置で液晶表示装置（ＬＣＤ）が広く利用されている。
【０００３】
これは軽量、薄形、低消費駆動などの特徴と共に液晶材料の改良及び微細画素加工技術の開発により画質が加速度的に改善されており、またその応用範囲が徐々に広くなっている趨勢である。
【０００４】
図１は、従来の液晶表示装置の構成を示したブロック図である。
【０００５】
図１を参照すると、従来の液晶表示装置１００はインターフェース回路１０１、タイミングコントローラ１０２、ゲートドライバー１０３、ソースドライバー１０４、ＬＣＤパネル１０５、インバータ１０６及びバックライト１０７で構成される。
【０００６】
前記インターフェース回路１０１はグラフィックカードからデータが供給されると、これに対応して各種信号、例えば、垂直同期信号Ｖｓｙｎｃ、水平同期信号Ｈｓｙｎｃ、データイネーブル信号、データクロック信号を生成して前記データと共に前記タイミングコントローラ１０２に提供する。
【０００７】
前記タイミングコントローラ１０２は前記インターフェース回路１０１から提供した信号を基礎にして前記ゲートドライバー１０３及び前記ソースドライバー１０４に必要な制御信号を生成して前記ゲートドライバー１０３及び前記ソースドライバー１０４に提供する。
【０００８】
ここで、前記タイミングコントローラ１０２が前記ゲートドライバー１０３に提供する制御信号は１フレームのデータが印加される時間、すなわち垂直同期信号Ｖｓｙｎｃが印加される一週期の間画面の１番目ゲートラインをオンさせてくれる時点を知らせるゲート開始パルス（以下ＧＳＰと称する）である。
【０００９】
また、前記ゲートドライバー１０３に提供する制御信号には前記ＬＣＤパネル１０５に具備された複数薄膜トランジスタ（ＴＦＴ）のゲートがオンまたはオフされる時間を決定するゲートシフトクロック（以下ＧＳＣと称する）及び前記ゲートドライバー１０３の出力を制御するゲート出力イネーブル（以下ＧＯＥと称する）が含まれる。
【００１０】
また、前記タイミングコントローラ１０２が前記ソースドライバー１０４に提供する制御信号は１水平同期信号Ｈｓｙｎｃのうちからデータの開始点、すなわち１番目ソースラインにデータが印加される時点を知らせるソース開始パルス（以下ＳＳＰと称する）である。
【００１１】
また、前記ソースドライバー１０４に提供する制御信号には前記ソースドライバー１０４を駆動させるための時間を知らせるソースシフトクロック（ＳＳＣ）、前記ソースドライバー１０４の出力を決定するソース出力イネーブル（ＳＯＥ）が含まれる。
【００１２】
すなわち、前記タイミングコントローラ１０２から生成された制御信号中にＧＳＰ、ＧＳＥ、ＧＯＥは前記ゲートドライバー１０３に提供されて、ＳＳＰ、ＳＳＣ、ＳＯＥは前記ソースドライバー１０４に提供される。
【００１３】
ここに前記ゲートドライバー１０３は前記タイミングコントローラ１０２から提供したＧＳＣによってゲートハイ電圧のスキャンパルスをゲートラインに次々と供給して前記ＬＣＤパネル１０５の液晶セルにデータが充電されるようにする。
【００１４】
また、前記ソースドライバー１０４は前記タイミングコントローラ１０２から提供したＳＳＣ、ＳＳＰ、ＳＯＥによってデータをラッチしてソースラインに提供する。
【００１５】
このようにゲートラインが次々と駆動されて前記ＬＣＤパネル１０５の薄膜トランジスタがオンされると同時にソースラインを介してラッチされたデータがＬＣＤパネル１０５に充電されて、この時印加された電圧により画素電極と共通電極間の電圧差により前記液晶セルが可変されながら所定の情報が表示されるものである。
【００１６】
一般に液晶表示装置は自己発光をしないためＬＣＤパネル１０５を透過した外部光を反射させて情報を表示したり、ＬＣＤパネル１０５の背面または側面に別途の光源、すなわちランプを具備したバックライトを設置してバックライトで発生した光を透過させて情報を表示する。
【００１７】
ここで、前者を反射型液晶表示装置といって、後者を透過型液晶表示装置という。
【００１８】
最近は高輝度側面やますます大型化される液晶表示装置に対応するために透過型液晶表示装置の場合ＬＣＤパネル１０５の側面に光源を設置するエッジ型バックライトよりはＬＣＤパネルの背面に光を設置する直下型バックライトが主に使われている。
【００１９】
図２は、一般的な直下型バックライトのランプ配列を示す図面である。
【００２０】
図２に示したように、直下型バックライトには複数個のランプ１０９が前記ＬＣＤパネル１０５下部に一列に配列されて、前記インターフェース回路１０１から提供した垂直同期信号Ｖｓｙｎｃにより決定されたランプのオン／オフ区間だけ複数個のランプを点灯させて光を生成してくれる。
【００２１】
このような直下型バックライトを構成する複数個のランプを駆動する方式としては１フレーム周期Ｖｓｙｎｃ単位で複数個のランプを一括的にオンさせてくれる一括点灯ブリンクバックライト方式または最も上層に存在するランプから次々とオンさせてくれるスキャンバックライト方式がある。
【００２２】
図３及び図４は、このようなブリンクバックライト方式及びスキャンバックライト方式を説明するための図面である。
【００２３】
図３を参照すると前記ブリンクバックライト方式は１フレーム周期単位で多個のランプが一括的に点灯、消灯される方式であって、図４を参照すると前記スキャンバックライト方式は複数個のランプが次々と点灯及び消灯が行われる方式である。
【００２４】
以下前記スキャンバックライト方式が適用される液晶表示装置の駆動に対して説明する。
【００２５】
前記スキャンバックライト方式が適用される場合図１に示したバックライト１０７はデータが印加される１フレーム周期の間前記バックライト１０７を構成する複数のランプが次々とオン／オフされなければならない。
【００２６】
すなわち、前記バックライト１０７は前記インターフェース回路１０１から提供した垂直同期信号Ｖｓｙｎｃをインバータ１０６に提供して、前記インバータで前記垂直同期信号によって前記バックライト１０７の複数ランプに対するオン／オフ区間を決定して、決定されたオン／オフ区間によって電源（図示せず）がランプに印加されて所定区間だけ点灯させるようになる。
【００２７】
これにより、前記バックライト１０７は垂直同期信号によりランプを次々とオンさせるようになる。
【００２８】
これに反して、ゲートドライバー１０３で提供するスキャンパルスとソースドライバー１０４で提供するデータはＧＳＰ、ＳＳＰによってＬＣＤパネル１０５に提供される。
【００２９】
図５は、従来の液晶表示装置の波形図である。
【００３０】
図５を参照すると、先にタイミングコントローラ１０２で垂直同期信号Ｖｓｙｎｃを利用してＧＳＰ、ＧＳＣ、ＧＯＥを生成して、水平同期信号Ｈｓｙｎｃを利用してＳＳＰ、ＳＳＣ、ＳＯＥを生成する。
【００３１】
この時、前記ＧＳＰ、ＧＳＣ、ＧＯＥはゲートドライバー１０３に提供される一方、前記ＳＳＰ、ＳＳＣ、ＳＯＥはソースドライバー１０４に提供される。
【００３２】
図５に示したように、前記ＧＳＰとＳＳＰは前記垂直同期信号の開始時点から一定時間間隔を置いて位置するようになる。
【００３３】
前記ゲートドライバー１０３は前記ＧＳＰによって１番目ゲートラインにスキャンパルスを印加しており、これは図５には図示していなかったが、続いて２番目、３番目からｎ番目ゲートラインに次々とスキャンパルスが印加される。
【００３４】
各ゲートラインにスキャンパルスが次々と印加される時ごとにこれに対応して各ソースラインに一括的にデータが印加される。
【００３５】
すなわち、前記ソースドライバー１０４は前記ＳＳＰによって１番目ソースラインにデータを印加して、これと同時に２番目、３番目からｎ番目ソースラインにデータが一括的に印加される。
【００３６】
これにより、ＬＣＤパネル１０５には１番目ゲートライン上に交差するソースラインそれぞれからデータが入力されて画素キャパシタンスに階調表示のために電圧で示されるデータが充電されるようになる。
【００３７】
この時、前記画素データに充電されるデータは直ちに充電されることでなく一定のピクセル充電時間が過ぎた後に所望する階調に相応する電圧が充電されるようになる。
【００３８】
このようなピクセル充電時間の間には該ピクセルに完全な情報が表示されなくて、前記データの充電が完了すれば、充電されたデータの電圧すなわち、画素電圧と共通電圧間の電圧差によりその間に位置する液晶が可変されながら所定の情報が表示されるようになる。
【００３９】
一方、前記スキャンバックライト方式が適用される複数のランプは垂直同期信号によって１番目ランプから最後のランプまで次々とオン／オフされるようになる。
【００４０】
特に、前記スキャンバックライトの１番目ランプは前記垂直同期信号に同期されて一定区間、すなわち点灯区間の間オンになる。
【００４１】
言い換えると、垂直同期信号の開始時点で前記スキャンバックライトの１番目ランプがオンになるようになる。
【００４２】
このような従来の液晶表示装置による場合ランプがオンされる時点がＧＳＰ、ＳＳＰにより印加されるスキャンパルス及びデータ印加時点より一定時間先立つようになることによって、バックライト駆動の効率が低下するという問題がある。
【００４３】
また、このようにランプがオンされる時点が先立つようになればそれだけ不必要にランプをオンさせなければならないので、消費電力が増える短所がある。
【発明の開示】
【発明が解決しようとする課題】
【００４４】
本発明は前記のような問題点を解決するために案出したことであって、バックライトの駆動を最適化した液晶表示装置及びその駆動方法を提供することにその目的がある。
【００４５】
すなわち、本発明はスキャンバックライト方式を適用するにおいて最初ランプのオンになる時点をＳＳＰの開始地点または終わり時点と一致させることによって、駆動最適化及び消費電力を減らす液晶表示装置及びその駆動方法を提供することにその目的がある。
【課題を解決するための手段】
【００４６】
前記目的を達成するための本発明による液晶表示装置駆動方法は、垂直同期信号及び水平同期信号を利用してゲート開始パルス（ＧＳＰ）を含む第１制御信号及びソース開始パルス（ＳＳＰ）を含む第２制御信号を生成する段階と；前記第１制御信号によってゲートラインに所定のスキャンパルスを次々と印加する段階と；前記第２制御信号によってソースラインにデータを印加する段階と；前記データを表示する段階；及び前記ＧＳＰ及び／または前記ＳＳＰを利用してバックライトを駆動する段階を含んで構成される。
【００４７】
また、本発明による液晶表示装置は、垂直同期信号及び水平同期信号を利用してゲート開始パルス（ＧＳＰ）を含む第１制御信号及びソース開始パルス（ＳＳＰ）を含む第２制御信号を生成するための制御手段と；前記第１制御信号によってゲートラインに所定のスキャンパルスを次々と印加するゲートドライバーと；前記第２制御信号によってソースラインにデータを印加するソースドライバーと；前記データを表示するＬＣＤパネル；及び前記ＧＳＰ及び／または前記ＳＳＰを利用してバックライトを駆動させるための駆動手段を含んで構成される。
【発明の効果】
【００４８】
以上のように、本発明の液晶表示装置及びその駆動方法によれば、従来に不必要にバックライトの１番目ランプのオンになる区間を事前に防止するためにバックライトの１番目ランプのオンになる時点をＳＳＰの終わり時点または開始時点と一致させることによって、駆動最適化と共に消費電力も大幅に減少させることができる。
【発明を実施するための最良の形態】
【００４９】
以下、添付した図面を参照して本発明の液晶表示装置及びその駆動方法を詳細に説明する。
【００５０】
図６は、本発明の一実施形態による液晶表示装置の構成を示したブロック図である。
【００５１】
図６を参照すると、本発明の液晶表示装置１０はインターフェース回路１１、タイミングコントローラ１２、ゲートドライバー１３、ソースドライバー１４、ＬＣＤパネル１５、インバータ１６及びバックライト１７で構成される。
【００５２】
前記インターフェース回路１１はグラフィックカードからデータが供給されると、これに対応して各種信号、例えば、垂直同期信号Ｖｓｙｎｃ、水平同期信号Ｈｓｙｎｃ、データイネーブル信号、データクロック信号を生成して前記データと共に前記タイミングコントローラ１２に提供する。
【００５３】
前記タイミングコントローラ１２は前記インターフェース回路１１から提供した信号を基礎にして前記ゲートドライバー１３及び前記ソースドライバー１４に必要な制御信号を生成して前記ゲートドライバー１３及び前記ソースドライバー１４に提供する。
【００５４】
ここで、前記タイミングコントローラ１２が前記ゲートドライバー１３に提供する制御信号は１フレームのデータが印加される時間、すなわち垂直同期信号Ｖｓｙｎｃが印加される一週期の間、画面の１番目ゲートラインをオンさせてくれる時点を知らせるゲート開始パルスである。
【００５５】
また、前記ゲートドライバー１３に提供する制御信号には前記ＬＣＤパネル１５に具備された複数薄膜トランジスタ（ＴＦＴ）のゲートがオンまたはオフされる時間を決定するゲートシフトクロック（ＧＳＣ）及び前記ゲートドライバー１０３の出力を制御するゲート出力イネーブル（ＧＯＥ）が含まれる。
【００５６】
また、前記タイミングコントローラ１２が前記ソースドライバー１４に提供する制御信号は１水平同期信号Ｈｓｙｎｃのうちからデータの開始点、すなわち１番目ソースラインにデータが印加される時点を知らせるソース開始パルス（ＳＳＰ）である。
【００５７】
また、前記ソースドライバー１４に提供する制御信号には前記ソースドライバー１４を駆動させるための時間を知らせるソースシフトクロック（ＳＳＣ）、前記ソースドライバー１４の出力を決定するソース出力イネーブル（ＳＯＥ）が含まれる。
【００５８】
すなわち、前記タイミングコントローラ１２から生成された制御信号中にＧＳＰ、ＧＳＣ、ＧＯＥは前記ゲートドライバー１３に提供される一方、ＳＳＰ、ＳＳＣ、ＳＯＥは前記ソースドライバー１４に提供される。
【００５９】
ここに前記ゲートドライバー１３は前記タイミングコントローラ１２から提供したＧＳＣによってゲートハイ電圧のスキャンパルスをゲートラインに次々と供給して前記ＬＣＤパネル１５の液晶セルにデータが充電されるようにする。
【００６０】
前記ソースドライバー１４は前記タイミングコントローラ１２から提供したＳＳＣ、ＳＳＰ、ＳＯＥによってデータをラッチしてソースラインに提供する。
【００６１】
このようにゲートラインが次々と駆動されて前記ＬＣＤパネル１５の薄膜トランジスタがオンされると同時にソースラインを介してラッチされたデータがＬＣＤパネル１５に充電されて、この時印加された電圧により画素電極と共通電極間の電圧差により前記液晶セルが可変されながら所定の情報が表示されるものである。
【００６２】
図６に示した本発明の実施形態は、前記バックライト１７を構成する複数のランプが前記タイミングコントローラ１２で提供する前記ＧＳＰ及び／またはＳＳＰを利用して制御されることをその特徴とする。
【００６３】
言い換えると、前記タイミングコントローラ１２から生成された制御信号のうちから１フレームのデータが印加される時間、すなわち垂直同期信号Ｖｓｙｎｃが印加される一週期の間画面の１番目ゲートラインをオンさせてくれる時点を知らせるＧＳＰと、１水平同期信号Ｈｓｙｎｃのうちからデータの開始点、すなわち１番目ソースラインにデータが印加される時点を知らせるＳＳＰがインバータ１６に提供されて、前記インバータ１６で前記ＧＳＰ及び／または前記ＳＳＰを基礎にして前記バックライト１７の１番目ランプのオンになる時点及びオン／オフ区間（点灯区間）を決定するものである。
【００６４】
ここに前記バックライト１７は前記インバータ１６で決定された前記バックライト１７の１番目ランプのオンになる時点及びオン／オフ区間によって前記１番目ランプに電源を印加を受けてオンさせてくれるようになる。
【００６５】
この時、前記バックライト１７の各ランプがカバーするゲートソースラインの個数が設定されているならば、該ゲートソースラインにスキャンパルスが次々と印加される間、前記バックライト１７の各ランプはオン状態を維持する。
【００６６】
前記のように構成される液晶表示装置の駆動方法を図７を参照してさらに詳細に説明する。
【００６７】
図７は、本発明の一実施形態による液晶表示装置の波形図である。
【００６８】
図７を参照すると、先にタイミングコントローラ１２で垂直同期信号を利用してＧＳＰ、ＧＳＣ、ＧＯＥを生成して、水平同期信号を利用してＳＳＰ、ＳＳＣ、ＳＯＥを生成する。
【００６９】
この時、前記ＧＳＰ、ＧＳＣ、ＧＯＥはゲートドライバー１３に提供される一方、前記ＳＳＰ、ＳＳＣ、ＳＯＥはソースドライバー１４に提供される。
【００７０】
先に説明したように前記ＧＳＰは１フレームのデータが印加される時間、すなわち垂直同期信号Ｖｓｙｎｃが印加される一週期の間画面の１番目ゲートラインをオンさせてくれる時点を知らせて、前記ＳＳＰは１水平同期信号Ｈｓｙｎｃのうちからデータの開始点、すなわち１番目ソースラインにデータが印加される時点を知らせる。
【００７１】
この時、ＧＳＰとＳＳＰは前記垂直同期信号の開始時点から一定時間間隔を置いて位置するようになる。
【００７２】
前記ゲートドライバー１３は前記ＧＳＰによって１番目ゲートラインにスキャンパルスを印加しており、これは図７には図示していなかったが、続いて２番目、３番目からｎ番目ゲートラインに次々とスキャンパルスが印加される。
【００７３】
各ゲートラインにスキャンパルスが次々と印加される時ごとにこれに対応して各ソースラインに一括的にデータが印加される。
【００７４】
すなわち、前記ソースドライバー１４は前記ＳＳＰによって１番目ソースラインにデータを印加して、これと同時に２番目、３番目からｎ番目ソースラインにデータが一括的に印加される。
【００７５】
これにより、ＬＣＤパネル１５には１番目ゲートライン上に交差するソースラインそれぞれからデータが入力されて画素キャパシタンスに階調表示のために電圧で示されるデータが充電されるようになる。
【００７６】
この時、前記画素データに充電されるデータは直ちに充電されず一定のピクセル充電時間が過ぎた後に所望する階調に相応する電圧が充電されるようになる。
【００７７】
このようなピクセル充電時間の間には該ピクセルに完全な情報が表示されなくて、前記データの充電が完了すれば、充電されたデータの電圧すなわち、画素電圧と共通電圧間の電圧差によりその間に位置する液晶が可変されながら所定の情報が表示されるようになる。一方、タイミングコントローラ１２はＧＳＰとＳＳＰをインバータ１６に提供して前記ＧＳＰ及び／または前記ＳＳＰを基礎にして前記バックライト１７の１番目ランプがオンになる時点及びオン／オフ区間（点灯区間）を決定する。
【００７８】
ここで、前記点灯区間はあらかじめ設定される場合もある。したがって、インバータ１６は前記ＧＳＰ及び／またはＳＳＰを基礎にして前記バックライト１７の１番目ランプがオンになる時点を決定して、決定されたオン時点と点灯区間を利用して前記バックライト１７の１番目ランプを駆動させることができる。
【００７９】
この時、前記バックライト１７は前記インバータ１６で決定された前記バックライト１７の１番目ランプのオンになる時点及びオン／オフ区間によって前記１番目ランプに電源を印加を受けてオンさせてくれるようになる。
【００８０】
ここで、前記バックライト１７の１番目ランプのオンになる時点はＳＳＰの終わり時点と同期させることが望ましい。
【００８１】
また、前記バックライト１７は前記１番目ランプの点灯区間が終了される時点に続いて前記１番目ランプに続いて２番目ランプからｎ番目ランプを次々とオンさせてくれる。
【００８２】
したがって、ピクセルにデータが完全に表示される時点であるＳＳＰの終わり時点に前記バックライト１７の１番目ランプを同期させてオンされるようにすることによって、駆動を最適化させる同時に消費電力を減らすことができる。
【００８３】
一方、以上でよく見た本発明の一実施形態と異なるように前記ＳＳＰの開始時点に前記バックライト１７の１番目ランプを同期させることができる。
【００８４】
図８は、本発明の他の実施形態による液晶表示装置の波形図である。
【００８５】
図８に示したように、前記ＳＳＰの開始時点に前記バックライト１７の１番目ランプを同期させる場合前記バックライト１７の１番目ランプをオンさせなくても良いピクセル充電時間の間にオンさせるようになることによって、それだけ消費電力は増えることになるが、従来の垂直同期信号の開始時点に同期されて１番目ランプがオンされるよりは消費電力を少なく浪費するようになってよりもっと駆動最適化を具現することができる。
【００８６】
このように、前記バックライトの１番目ランプのオンになる時点がＳＳＰの終わり時点と同期されるようにすることによって、駆動最適化を具現することができる。
【００８７】
更に、バックライトランプの１番目ランプがオンにならなくても良い区間、すなわち垂直同期信号の開始時点からＳＳＰの終わり時点まで不必要にバックライトの１番目ランプがオンされないことによって、バックライトのランプ消費電力を減らすことができる。
【００８８】
例えば、不必要にオンになる区間が相当に短い時間であっても、毎秒２４フレーム単位でデータが表示されると言って毎フレーム毎にこのように不必要にオンになる区間が発生するようになれば、全体的にこれを累積させてみれば、不必要にオンになる区間が無視することができない程度になってこれにより消費電力も相当に浪費されるものである。
【産業上の利用可能性】
【００８９】
バックライトの１番目ランプのオンになる区間を事前に防止するためにバックライトの１番目ランプのオンになる時点をＳＳＰの終わり時点または開始時点と一致させることによって、駆動最適化と共に消費電力も大幅に減少させる産業上利用可能性がある。
【図面の簡単な説明】
【００９０】
【図１】従来の液晶表示装置の構成を示したブロック図。
【図２】一般的な直下型バックライトのランプ配列様子を示した図面。
【図３】一般的なブリンクバックライト方式によって複数個のランプがオン／オフされる様子を示した波形図。
【図４】一般的なスキャンバックライト方式によって複数個のランプがオン／オフされる様子を示した波形図。
【図５】従来の液晶表示装置の波形図。
【図６】本発明の実施形態による液晶表示装置の構成を示したブロック図。
【図７】本発明の実施形態による液晶表示装置の波形図を示した一例示図。
【図８】本発明の実施形態による液晶表示装置の波形図を示した他の例示図。
【符号の説明】
【００９１】
１２：タイミングコントローラ
１３：ゲートドライバー
１４：ソースドライバー
１５：ＬＣＤパネル
１６：インバータ
１７：バックライト
【図１】
2005128546.tif 000003
【図２】
2005128546.tif 000004
【図３】
2005128546.tif 000005
【図４】
2005128546.tif 000006
【図５】
2005128546.tif 000007
【図６】
2005128546.tif 000008
【図７】
2005128546.tif 000009
【図８】
2005128546.tif 000010